(57)【要約】      （修正有）【課題】レストラン等の飲食店において、傘の忘れ防止や、保管時の見た目をきれいにするため、椅子脚部に傘を保管できる傘用収納具を提供する。【解決手段】バンドから形成される傘用収納具１は、傘を差し込んで鉛直状態を保持するための傘保持部と、巻きつけるための取着体を有するとともに、前記傘用収納具は長手方向の片側端より角環、前記傘保持部、前記取着体の順に成形する。前記傘保持部は、バンドに強度補強材を縫い付け、半円筒形に湾曲させバンドに固定させたものである。前記傘取着体が前記傘保持部を固定された面、且つ、前記傘保持部側のバンドに面ファスナー（オス）を縫い付け、間隔を空けて面ファスナー（メス）が縫い付けられ、また面ファスナー（オス）が縫い付けられている位置のバンド裏側には、滑り止め効果を有するシート状の部材を縫い付けて構成する。【選択図】図１
0003151820.tif 000002
【実用新案登録請求の範囲】
【請求項１】
１本のバンドから形成される傘用収納具は、傘を差し込んで鉛直状態を保持するための傘保持部と、ポール状の物に巻きつけるための取着体を有するとともに、前記傘用収納具は長手方向の片側端より角環、前記傘保持部、前記取着体の順に成形されており、前記傘保持部がバンドに強度補強材を縫い付け、半円筒形に湾曲させバンドに固定させたものであり、前記取着体が前記傘保持部を固定した面、且つ、前記傘保持部側のバンドに面ファスナー（オス）を縫い付け、間隔を空けて面ファスナー（メス）を縫い付け、また面ファスナー（オス）が縫い付けられている位置のバンド裏側には、滑り止め効果を有するシート状の部材が縫い付けられていることを特徴とする傘用収納具。
【請求項２】
前記角環は前記取着体が通る様に、バンドの短手方向と同じ寸法が穿設された貫通孔を有する物である請求項１に記載の傘用収納具。
【請求項３】
前記傘保持部に縫い付けられた前記強度補強材は、弾性復帰力を有する物であり、該強度補強材はバンドの短手方向よりも寸法が大きい物を使用する請求項１または請求項２に記載の傘用収納具。
【請求項４】
前記取着体に縫い付けられた前記面ファスナー（オス）と前記面ファスナー（メス）は、バンドの短手方向と同じ寸法の物とし、また該面ファスナー（メス）は該面ファスナー（オス）よりもバンドの長手方向に長い物とする請求項１〜３のいずれかに記載の傘用収納具。
【請求項５】
前記滑り止め効果を有するシート状の部材は、バンドの短手方向と同じ寸法の物とし、ポール状の物に巻きつけた際、動いたり滑り落ちたりするのを防ぐ物とする請求項１〜４のいずれかに記載の傘用収納具。
【考案の詳細な説明】
【技術分野】
【０００１】  本考案は、既に所有する一般の傘を椅子脚部などに収納するための傘用収納具に関するものである。
【背景技術】
【０００２】  雨天時、レストラン等の飲食店（以下「お店」と言う）においてお客様の傘はお店の入り口付近に設置してある傘立てに保管する場合、もしくはお店入り口付近に設置してある傘専用ビニール袋（以下「ビニール袋」と言う）に入れて店内に持ち込み、椅子の背もたれやテーブルに掛けておく、あるいは床面に置いて保管していた。
【先行技術文献】
【特許文献】
【０００３】
【特許文献１】  実用新案登録第３１２５３９８号  公報
【特許文献２】  実用新案登録第３１４１５７３号  公報
【特許文献３】  特開２００５−１３７７６４  公報
【考案の概要】
【考案が解決しようとする課題】
【０００４】  店内入り口付近に設置してある傘立てに保管した場合、手元から傘が離れている状態で飲食をしてお店から出る際に、お店に置き忘れてしまうケースがありお店の従業員の労働力負担や、お客様自身が困ってしまう。また、お店入り口付近に設置してあるビニール袋に入れて店内に持ち込み、椅子の背もたれやテーブルに掛けておいた場合、滑って倒れたり落ちたりする。また、床面に置いておくのは不衛生で見た目にも体裁が悪いという問題点があった。
【課題を解決するための手段】
【０００５】  請求項１の傘用収納具は、１本のバンドから形成される傘用収納具は、傘を差し込んで鉛直状態を保持するための傘保持部と、ポール状の物に巻きつけるための取着体を有するとともに、前記傘用収納具は長手方向の片側端より角環、前記傘保持部、前記取着体の順に成形されており、前記傘保持部がバンドに強度補強材を縫い付け、半円筒形に湾曲させバンドに固定させたものであり、前記傘取着体が前記傘保持部を固定した面、且つ、前記傘保持部側のバンドに面ファスナー（オス）を縫い付け、間隔を空けて面ファスナー（メス）が縫い付けられ、また面ファスナー（オス）が縫い付けられている位置のバンド裏側には、滑り止め効果を有するシート状の部材が縫い付けられていることを特徴とする傘用収納具。【０００６】  請求項２の傘用収納具は、請求項１において、前記角環は前記取着体が通る様に、バンドの短手方向と同じ寸法が穿設された貫通孔を有することを特徴とする。【０００７】  請求項３の傘用収納具は、請求項１または請求項２において、前記傘保持部に縫い付けられた前記強度補強材は、弾性復帰力を有する物であり、該強度補強材はバンドの短手方向よりも寸法が大きいことを特徴とする。【０００８】  請求項４の傘用収納具は、請求項１〜３において前記取着体に縫い付けられた前記面ファスナー（オス）と前記面ファスナー（メス）は、バンドの短手方向と同じ寸法の物とし、また該面ファスナー（メス）は該面ファスナー（オス）よりもバンドの長手方向に長いことを特徴とする。【０００９】  請求項５の傘用収納具は、請求項１〜４において前記滑り止め効果を有するシート状の部材は、バンドの短手方向と同じ寸法の物とし、ポール状の物に巻きつけた際、動いたり滑り落ちたりするのを防ぐことを特徴とする。
【考案の効果】
【００１０】  本考案の傘用収納具はお客様が座る椅子の脚部に取り付ける事が可能なため、お客様に近接して傘を保管する事が可能になり、お店から帰る際置き忘れ防止として役立ち、しかも傘を収納した際、鉛直状態を連続して保持するので見た目にも美しい。
【図面の簡単な説明】
【００１１】
【図１】本考案の傘用収納具の一例を示した概要図である。
【図２】傘用収納具を示した正面図である。
【図３】傘用収納具を示した背面図である。
【図４】傘用収納具を示した右側面図である。
【図５】傘用収納具を示した左側面図である。
【図６】図２のＡ−Ａを示した断面図である。
【図７】椅子に取り付けた状態を示した右方向斜視図である。
【図８】椅子に取り付けた状態を示した左方向斜視図である。
【考案を実施するための形態】
【００１２】  図１に示されるように椅子Ｂの背板Ｃ側の座面Ｄより下位置の脚部Ｅに、滑り止めシート７が内側、強度補強材３が図７に示されるようにバンド２よりバンド短手方向より出ている方を上向きにして傘用収納具１を巻きつける。面ファスナー（メス）５が縫い付けられている方の、バンド２の長手方向先端を角環４に通し角環４を支点にバンド２を締め上げ、そのまま角環４を支点にしてバンド２を折り曲げ、面ファスナー（メス）５を面ファスナー（オス）６に接着させる。
【実施例】
【００１３】  １本のバンド２から形成される傘用収納具１は、傘を差し込んで鉛直状態を保持するための傘保持部８と、ポール状の物に巻きつけるための取着体を有するとともに、前記傘用収納具１は長手方向の片側端より角環４、前記傘保持部８、前記取着体の順に成形されており、前記傘保持部８がバンドに強度補強材３を縫い付け、半円筒形に湾曲させバンドに固定させたものであり、前記傘取着体が前記傘保持部８を固定した面、且つ、前記傘保持部８側のバンドに面ファスナー（オス）６を縫い付け、間隔を空けて面ファスナー（メス）５が縫い付けられ、また面ファスナー（オス）６が縫い付けられている位置のバンド裏側には、滑り止めシート７が縫い付けられている。【００１４】  角環４はバンド２が通る様に、バンド２の短手方向と同じ寸法が穿設された貫通孔を有するとともに、水分が付着しても腐食しない樹脂製、または表面にメッキ加工された金属の物を使用する。【００１５】  傘保持部８に縫い付けられた強度補強材３は、弾性復帰力を有する物であり、該強度補強材３は、図７に示されるようにバンド２の短手方向よりも寸法が大きいものとする。【００１６】  また、強度補強材３は水分などが付着しても腐食しない板状の部材を用いるとともに、バンド２の短手方向より出ている部分の角をＲ状に成形させることにより、人や物が接触した際、傷ついたりすることがない様になっている【００１７】  上述の強度補強材３は厚手の低発泡ポリエチレンボード、または樹脂製ボード、または表面にコーティングが施された厚手の皮革や人工皮革、またはアクリル製ボード、またはラバー製ボード、などを用いることにより比較的変形させやすく、且つ、元の形状に戻ろうとする弾性復帰力が働くようになっている。このため、バンド２より出ている部分は図３のように上部に行くほど外側に扇状のように広がっている。【００１８】  そのため、お客様が傘を差し込む際入り口が広がっているので、スムーズに傘を差し込むことが出来る。【００１９】  面ファスナー（メス）５と面ファスナー（オス）６はバンド２の短手方向と同じ寸法、且つ、面ファスナー（メス）５は面ファスナー（オス）６よりもバンド２の長手方向に長さが長い物を使用することにより、接着面積範囲が広がりその結果、一定範囲の脚部周囲が異なった椅子にも対応する事が出来る。【００２０】  図２に示されるように面ファスナー（メス）５は、角環４が取り付けられているバンド２の長手方向逆先端より１．５ｃｍほど内側に離して縫い付けられている。これにより、脚部Ｅから取り外す際、バンド２の先端部を摘んで剥がしやすいようになっている。【００２１】  図８の様に脚部Ｅに取り付けた際、滑り止めシート７が脚部Ｅと密着している為、上下左右の負荷が掛かった場合でも上下左右に動くことなく、また滑り落ちることがないため、傘を傘保持部８の中に出し入れした際、傘と一緒に動いてしまうことがなく椅子Ｂにしっかりと固定されている。【００２２】  上述の滑り止めシート７は表面に凹凸を有するシート、または表面に凹凸を有するバンド、または皮革や人工皮革、またはラバー製のシート、またはラバー製のバンド、または表面にビニールコーティングが施された生地、または表面にビニー���コーティングが施されたテープ、またはラバー製のシートと異素材のシートもしくは生地を圧着させた物、またはシリコン素材のシート、またはシリコン素材のバンド、などを用いる。【００２３】  本考案は面ファスナーで接着させるので容易に着脱が可能である。【００２４】  また、本考案の傘用収納具１は比較的体積が小さく質量が軽い為、使用しない際はお店のバックヤード等にて嵩張らずに、保管することが出来る。【００２５】  本考案に係る傘用収納具１は、主として椅子Ｂの脚部Ｅに取り付け傘Ｆを収納する場合に使用されるが、その他、テーブル脚部等のポール状の物に傘Ｆを収納する場合に使用してもよいのであり、その使用形態は特に制限されない。
【符号の説明】
【００２６】１  傘用収納具
２  バンド
３  強度補強材
４  角環
５  面ファスナー（メス）
６  面ファスナー（オス）
７  滑り止めシート
８  傘保持部
Ｂ  椅子
Ｃ  背板（背当て）
Ｄ  座面
Ｅ  脚部
Ｆ  傘
【図１】
0003151820.tif 000003
【図２】
0003151820.tif 000004
【図３】
0003151820.tif 000005
【図４】
0003151820.tif 000006
【図５】
0003151820.tif 000007
【図６】
0003151820.tif 000008
【図７】
0003151820.tif 000009
【図８】
0003151820.tif 000010